(57)【要約】【課題】暗証番号入力装置の利用者の特定に際して、利用者が暗証番号入力とは別の動作をすることを不要にする。【解決手段】暗証番号入力装置１の入力完了キー１１に電界通信用の電極４１を配置し、電界通信装置２を保持する利用者３が入力完了キー１１に触れたときに、利用者３を電界伝達媒体として利用者ＩＤを電界通信装置２から暗証番号入力装置１に送信し、この利用者ＩＤに基づいて暗証番号入力装置１で利用者３の認証を行う。【選択図】図２
2007226727.tif 000002
【特許請求の範囲】
【請求項１】
暗証番号入力装置と、電界伝達媒体としての暗証番号の入力者に配置される電界通信装置とを備えた暗証番号入力システムであって、
前記電界通信装置は、
前記入力者を特定するための情報を格納した格納手段と、
前記格納手段から前記情報を読み出して、前記入力者に対して電界を誘起して当該情報を送信する送信手段と、を有し、
前記暗証番号入力装置は、
前記入力者による暗証番号の入力を入力キーで受け付ける受付手段と、
前記入力キーに配置された電界通信用の電極と、
前記入力者が前記入力キーに接触したときに当該入力者を介して伝送されてくる情報を前記電極を通じて受信する受信手段と、
受信した情報に基づいて入力者の認証を行う認証手段と、
を有することを特徴とする暗証番号入力システム。
【請求項２】
暗証番号入力装置と、電界伝達媒体としての暗証番号の入力者に配置される電界通信装置とで行う暗証番号入力方法であって、
前記電界通信装置により、前記入力者を特定するための情報を格納した格納手段から前記情報を読み出して、前記入力者に対して電界を誘起して当該情報を送信するステップと、
前記暗証番号入力装置により、
前記入力者による暗証番号の入力を入力キーで受け付けるステップと、
前記入力者が前記入力キーに接触したときに、当該入力者を介して伝送されてくる情報を、前記入力キーに配置された電界通信用の電極を通じて受信するステップと、
受信した情報に基づいて入力者の認証を行うステップと、
を有することを特徴とする暗証番号入力方法。
【請求項３】
暗証番号入力装置と、電界伝達媒体としての暗証番号の入力者に配置される電界通信装置とを備えた暗証番号入力システムであって、
前記暗証番号入力装置は、
前記入力者による暗証番号の入力を入力キーで受け付ける受付手段と、
前記入力キーに配置された電界通信用の電極と、
前記受付手段により受け付けた暗証番号を前記電極により前記入力者に対して電界を誘起することで前記電界通信装置へ送信する送信手段と、を有し、
前記電界通信装置は、
予め暗証番号を格納しておく格納手段と、
前記暗証番号入力装置から送信されてきた暗証番号を電極を通じて受信する受信手段と、
前記受信手段により受信した暗証番号と前記格納手段に格納されている暗証番号とを照合し、両者が一致した場合に入力者を認証する認証手段と、
前記認証手段による認証結果を、前記入力者に対して電界を誘起することで前記入力キーに配置された電極を通じて前記暗証番号入力装置へ送信する送信手段と、
を有することを特徴とする暗証番号入力システム。
【請求項４】
暗証番号入力装置と、電界伝達媒体としての暗証番号の入力者に配置される電界通信装置とで行う暗証番号入力方法であって、
前記暗証番号入力装置により、
前記入力者による暗証番号の入力を入力キーで受け付けるステップと、
前記受付手段により受け付けた暗証番号を、前記入力キーに配置された電界通信用の電極により入力者に対して電界を誘起することで前記電界通信装置へ送信するステップと、
前記電界通信装置により、
前記暗証番号入力装置から送信されてきた暗証番号を電極を通じて受信するステップと、
受信した暗証番号と格納手段に予め格納しておいた暗証番号とを照合し、両者が一致した場合に入力者を認証するステップと、
この認証結果を、前記入力者に対して電界を誘起することで前記入力キーに配置された電極を通じて前記暗証番号入力装置へ送信するステップと、
を有することを特徴とする暗証番号入力方法。
【請求項５】
入力キーによる暗証番号の入力を受け付ける受付手段と、
前記入力キーに配置された電界通信用の電極と、
を有することを特徴とする暗証番号入力装置。
【請求項６】
暗証番号の入力者が前記入力キーに接触したときに当該入力者を介して伝送されてくる情報を前記電極を通じて受信する受信手段と、
受信した情報に基づいて入力者の認証を行う認証手段と、
を更に有することを特徴とする請求項５記載の暗証番号入力装置。
【請求項７】
前記暗証番号入力装置は電子ロック式のドアに配置されるものであって、
前記認証手段により入力者が認証された場合に、前記ドアに対して開錠制御信号を送出るする送出手段を更に有することを特徴とする請求項６記載の暗証番号入力装置。
【請求項８】
前記情報は入力者を特定するための識別情報であって、
前記暗証番号と前記識別情報とを関連付けて記憶した記憶手段を更に有し、
前記認証手段は、前記受信手段により受信した識別情報に関連付けられている暗証番号を前記記憶手段から抽出し、この抽出した暗証番号と前記受付手段で受け付けた暗証番号とを照合し、両者が一致した場合に入力者を認証することを特徴とする請求項５乃至７のいずれかに記載の暗証番号入力装置。
【請求項９】
前記情報は暗証番号情報であって、
前記認証手段は、前記受付手段により受け付けた暗証番号と、前記受信手段により受信した暗証番号情報とを照合し、両者が一致した場合に入力者を認証することを特徴とする請求項５乃至７のいずれかに記載の暗証番号入力装置。
【請求項１０】
前記暗証番号情報は暗証番号を暗号化した情報であって、
前記受付手段により受け付けた暗証番号を暗号化する暗号化手段を更に有し、
前記認証手段は、前記暗証番号情報と前記暗号化手段により暗号化した暗証番号とを照合することを特徴とする請求項９記載の暗証番号入力装置。
【請求項１１】
前記受付手段により受け付けた暗証番号を、前記電極により前記入力者に対して電界を誘起することで前記入力者に配置されている電界通信装置へ送信する送信手段と、
前記送信手段により送信した暗証番号に基づいて前記電界通信装置でなされた入力者の認証結果が前記電界通信装置から前記入力者を介して送信されてきたときに、当該認証結果を前記電極を通じて受信する受信手段と、
を更に有することを特徴とする請求項５記載の暗証番号入力装置。
【請求項１２】
前記暗証番号入力装置は電子ロック機構を備えたドアに配置されるものであって、
前記受信手段により受信した認証結果が入力者の認証を示す場合に、前記電子ロック機構に対して開錠制御信号を送出する送出手段を更に有することを特徴とする請求項１１記載の暗証番号入力装置。
【請求項１３】
前記入力キーは複数設置されたものであって、
全ての入力キーに対して電界通信用の電極が配置されることを特徴とする請求項５乃至１２のいずれかに記載の暗証番号入力装置。
【発明の詳細な説明】
【技術分野】
【０００１】
本発明は、暗証番号入力におけるセキュリティと操作の容易性を向上させるための技術に関する。
【背景技術】
【０００２】
従来より、テンキー等の入力キーを備えた暗証番号入力装置がドアロックに用いられている。これは、暗証番号入力装置に予め暗証番号を登録しておき、利用者が入力キーから入力した暗証番号と登録されている暗証番号とを照合し、両者が一致した場合にドアを開錠するものである。なお、本願に関連する技術としては特許文献１に記載のものが知られている。
【特許文献１】特開２００３−９８２０５号公報
【発明の開示】
【発明が解決しようとする課題】
【０００３】
しかしながら、従来の暗証番号入力装置では、利用者全員が同一の暗証番号を使用するため、暗証番号が漏洩する危険性が高いという問題がある。
【０００４】
また、各利用者で異なる暗証番号を使用可能とするためには、利用者を特定するための利用者ＩＤを記憶したＩＣカード等を用いて利用者を認証することが必要なため、利用者にとってはＩＣカードを所定の入力パネルにかざす等の動作が暗証番号入力とは別に必要であり、煩わしいという問題がある。
【０００５】
本発明は、上記に鑑みてなされたものであり、暗証番号入力装置の利用者を特定するに際して、利用者による暗証番号入力とは別の動作を不要にすることを課題とする。
【課題を解決するための手段】
【０００６】
第１の本発明に係る暗証番号入力システムは、暗証番号入力装置と、電界伝達媒体としての暗証番号の入力者に配置される電界通信装置とを備えた暗証番号入力システムであって、前記電界通信装置は、前記入力者を特定するための情報を格納した格納手段と、前記格納手段から前記情報を読み出して、前記入力者に対して電界を誘起して当該情報を送信する送信手段と、を有し、前記暗証番号入力装置は、前記入力者による暗証番号の入力を入力キーで受け付ける受付手段と、前記入力キーに配置された電界通信用の電極と、前記入力者が前記入力キーに接触したときに当該入力者を介して伝送されてくる情報を前記電極を通じて受信する受信手段と、受信した情報に基づいて入力者の認証を行う認証手段と、を有することを特徴とする。
【０００７】
本発明にあっては、暗証番号入力装置の入力キーに電界通信用の電極を配置し、電界通信装置を保持する入力者が入力キーに触れたときに、入力者を特定するための情報を電界通信装置から暗証番号入力装置に送信し、この情報に基づいて暗証番号入力装置で入力者の認証を行うことで、入力者にとってはＩＣカードを所定の入力パネルへかざすといった動作が不要になる。
【０００８】
第２の本発明に係る暗証番号入力方法は、暗証番号入力装置と、電界伝達媒体としての暗証番号の入力者に配置される電界通信装置とで行う暗証番号入力方法であって、前記電界通信装置により、前記入力者を特定するための情報を格納した格納手段から前記情報を読み出して、前記入力者に対して電界を誘起して当該情報を送信するステップと、前記暗証番号入力装置により、前記入力者による暗証番号の入力を入力キーで受け付けるステップと、前記入力者が前記入力キーに接触したときに、当該入力者を介して伝送されてくる情報を、前記入力キーに配置された電界通信用の電極を通じて受信するステップと、受信した情報に基づいて入力者の認証を行うステップと、を有することを特徴とする。
【０００９】
第３の本発明に係る暗証番号入力システムは、暗証番号入力装置と、電界伝達媒体としての暗証番号の入力者に配置される電界通信装置とを備えた暗証番号入力システムであって、前記暗証番号入力装置は、前記入力者による暗証番号の入力を入力キーで受け付ける受付手段と、前記入力キーに配置された電界通信用の電極と、前記受付手段により受け付けた暗証番号を前記電極により前記入力者に対して電界を誘起することで前記電界通信装置へ送信する送信手段と、を有し、前記電界通信装置は、予め暗証番号を格納しておく格納手段と、前記暗証番号入力装置から送信されてきた暗証番号を電極を通じて受信する受信手段と、前記受信手段により受信した暗証番号と前記格納手段に格納されている暗証番号とを照合し、両者が一致した場合に入力者を認証する認証手段と、前記認証手段による認証結果を、前記入力者に対して電界を誘起することで前記入力キーに電極を通じて前記暗証番号入力装置へ送信する送信手段と、を有することを特徴とする。
【００１０】
本発明にあっては、暗証番号入力装置の入力キーに電界通信用の電極を配置し、電界通信装置を保持する入力者が入力キーから暗証番号を入力したときに、その暗証番号を暗証番号入力装置から入力キーに配置した電極を通じて電界通信装置へ送信し、電界通信装置において暗証番号を照合することで、入力者にとってはＩＣカードを所定の入力パネルへかざすといった動作が不要になる。
【００１１】
また、本発明にあっては、暗証番号入力装置に入力された暗証番号と電界通信装置で予め記憶しておいた暗証番号との照合により、暗証番号を電界通信装置に記憶させた本人が暗証番号入力装置を操作していることが認証されるので、入力者を特定するための情報を扱うことが不要になる。
【００１２】
第４の本発明に係る暗証番号入力方法は、暗証番号入力装置と、電界伝達媒体としての暗証番号の入力者に配置される電界通信装置とで行う暗証番号入力方法であって、前記暗証番号入力装置により、前記入力者による暗証番号の入力を入力キーで受け付けるステップと、前記受付手段により受け付けた暗証番号を、前記入力キーに配置された電界通信用の電極により入力者に対して電界を誘起することで前記電界通信装置へ送信するステップと、前記電界通信装置により、前記暗証番号入力装置から送信されてきた暗証番号を電極を通じて受信するステップと、受信した暗証番号と格納手段に予め格納しておいた暗証番号とを照合し、両者が一致した場合に入力者を認証するステップと、この認証結果を、前記入力者に対して電界を誘起することで前記入力キーに配置された電極を通じて前記暗証番号入力装置へ送信するステップと、を有することを特徴とする。
【００１３】
第５の本発明に係る暗証番号入力装置は、入力キーによる暗証番号の入力を受け付ける受付手段と、前記入力キーに配置された電界通信用の電極と、を有することを特徴とする。
【００１４】
上記暗証番号入力装置は、暗証番号の入力者が前記入力キーに接触したときに当該入力者を介して伝送されてくる情報を前記電極を通じて受信する受信手段と、受信した情報に基づいて入力者の認証を行う認証手段と、を更に有することを特徴とする。
【００１５】
前記暗証番号入力装置は、電子ロック式のドアに配置されるものであって、前記認証手段により入力者が認証された場合に、前記ドアに対して開錠制御信号を送出るする送出手段を更に有することを特徴とする。
【００１６】
上記暗証番号入力装置において、前記情報は入力者を特定するための識別情報であって、前記暗証番号と前記識別情報とを関連付けて記憶した記憶手段を更に有し、前記認証手段は、前記受信手段により受信した識別情報に関連付けられている暗証番号を前記記憶手段から抽出し、この抽出した暗証番号と前記受付手段で受け付けた暗証番号とを照合し、両者が一致した場合に入力者を認証することを特徴とする。
【００１７】
上記暗証番号入力装置において、前記情報は暗証番号情報であって、前記認証手段は、前記受付手段により受け付けた暗証番号と、前記受信手段により受信した暗証番号情報とを照合し、両者が一致した場合に入力者を認証することを特徴とする。
【００１８】
上記暗証番号入力装置において、前記暗証番号情報は暗証番号を暗号化した情報であって、前記受付手段により受け付けた暗証番号を暗号化する暗号化手段を更に有し、前記認証手段は、前記暗証番号情報と前記暗号化手段により暗号化した暗証番号とを照合することを特徴とする。
【００１９】
上記暗証番号入力装置は、前記受付手段により受け付けた暗証番号を、前記電極により前記入力者に対して電界を誘起することで前記入力者に配置されている電界通信装置へ送信する送信手段と、前記送信手段により送信した暗証番号に基づいて前記電界通信装置でなされた入力者の認証結果が前記電界通信装置から前記入力者を介して送信されてきたときに、当該認証結果を前記電極を通じて受信する受信手段と、を更に有することを特徴とする。
【００２０】
上記暗証番号入力装置は、電子ロック機構を備えたドアに配置されるものであって、前記受信手段により受信した認証結果が入力者の認証を示す場合に、前記ロック機構に対して開錠制御信号を送出する送出手段を更に有することを特徴とする。
【００２１】
上記暗証番号入力装置において、前記入力キーは複数設置されたものであって、全ての入力キーに対して電界通信用の電極が配置されることを特徴とする。
【発明の効果】
【００２２】
本発明によれば、暗証番号入力装置の利用者を特定するに際し、利用者が暗証番号入力とは別の動作をすることを不要にすることができる。
【発明を実施するための最良の形態】
【００２３】
以下、本発明の実施の形態について図面を用いて説明する。
【００２４】
［第１の実施の形態］
図１は、本実施形態における暗証番号入力システムの概略的な構成を示す模式図である。
【００２５】
本システムは、暗証番号入力装置１、電界伝達媒体としての暗証番号の入力者（利用者）３に配置される電界通信装置２を備える。暗証番号入力装置１は電界通信装置を内蔵しており、利用者３も電界通信装置２を保持している。本実施形態では、暗証番号入力装置１を電子ロック機構を備えたドアの開錠制御に適用することを想定する。
【００２６】
図２は、暗証番号入力装置１の構成を示す斜視図である。暗証番号入力装置１は、数字を入力するための複数の入力キー１０と、入力完了キー（エンターキー）１１を備える。この入力完了キー１１には、電界通信装置の電極が配置される。
【００２７】
図３は、電界通信装置２の内部構成を示すブロック図である。電界通信装置２は、電界通信用の電極３１、電界通信用の通信回路３２、利用者３を特定するための情報である利用者ＩＤを格納したメモリ３３を備える。利用者３が暗証番号入力装置１の入力完了キー１１を押下したときに、通信回路３２は、メモリ３３から利用者ＩＤを読み出し、電極３１を通じて利用者３へ向けて電界を誘起することで、利用者ＩＤを、利用者３を介し電極に兼用されている入力完了キー１１を通じて暗証番号入力装置１へ送信する。
【００２８】
図４は、暗証番号入力装置１の内部構成を示すブロック図である。暗証番号入力装置１は、入力完了キー１１に兼用された電界通信用の電極４１、電界通信用の通信回路４２、暗証番号の入力を入力キーで受け付ける入力部４３、利用者３の認証を行う認証部４４、メモリ４５、ドア制御部４６を備える。電界通信装置２から利用者ＩＤが送信されてきたときに、通信回路４２はこの利用者ＩＤを電極４１を通じて受信し、メモリ４５に格納させる。認証部４４は、この利用者ＩＤに基づいて利用者３の認証を行う。ドア制御部４６は、利用者３が認証された場合に、ドアの電子ロック機構に対して開錠制御信号を送出する。また、暗証番号入力装置１は、利用者３の認証のために、暗証番号と利用者ＩＤとを関連付けて記憶しているデータベース４７に対して通信接続が可能なものとなっている。
【００２９】
図５は、本暗証番号システムにおける全体的な処理の流れを示すシーケンス図である。
【００３０】
ステップ１で、暗証番号入力装置１は、利用者による暗証番号の入力を入力部４３により入力キーで受け付けて、その暗証番号をメモリ４５に格納する。
【００３１】
ステップ２で、利用者３が入力完了キー１１を押下したときに、電界通信装置２から利用者３および入力完了キー１１を通じて利用者ＩＤを暗証番号入力装置１から送信し、暗証番号入力装置１は、この利用者ＩＤを通信回路４２により受信して、メモリ４５に格納させる。
【００３２】
ステップ３で、暗証番号入力装置１の認証部４４は、データベース４７を検索して、受信した利用者ＩＤに関連する暗証番号を抽出する。
【００３３】
ステップ４で、認証部４４は、この抽出した暗証番号と、入力部４３で受け付けた暗証番号とを照合し、両者が一致した場合に利用者３を認証する。そして、ドア制御部４６は、利用者３が認証された場合に、ドアの電子ロック機構に対して開錠制御信号を送出してドアを開錠させる。
【００３４】
したがって、本実施の形態によれば、暗証番号入力装置１の入力完了キー１１に電界通信用の電極４１を配置し、電界通信装置２を保持する利用者３が入力完了キー１１に触れたときに、利用者ＩＤを電界通信装置２から暗証番号入力装置１に送信し、この利用者ＩＤに基づいて暗証番号入力装置１で利用者３の認証を行うことで、利用者３の特定に際して、利用者３はＩＣカードを所定の入力パネルへかざすといった動作が不要になる。
【００３５】
図６は、本暗証番号入力システムにおける別の全体的な処理の流れを示すシーケンス図である。
【００３６】
ステップ１で、暗証番号入力装置１は、利用者３による暗証番号の入力を入力部４３により入力キーで受け付けて、その暗証番号をメモリ４５に格納する。
【００３７】
ステップ２で、利用者３が入力完了キー１１を押下したときに、電界通信装置２から登録されている暗証番号を利用者３を介して入力完了キー１１に向けて送信する。暗証番号入力装置１は、この暗証番号を通信回路４２により受信して、メモリ４５に格納させる。ここでは、電界通信装置２のメモリ３３には利用者３が予め暗証番号を記憶させておくものとする。
【００３８】
ステップ３で、暗証番号入力装置１の認証部４４は、受信した暗証番号と、入力部４３で受け付けた暗証番号とを照合し、両者が一致した場合に利用者３を認証する。そして、ドア制御部４６は、利用者３が認証された場合に、ドアの電子ロック機構に対して開錠制御信号を送出してドアを開錠させる。
【００３９】
したがって、本実施の形態によれば、暗証番号入力装置１に入力された暗証番号と電界通信装置２で予め記憶しておいた暗証番号との照合により、暗証番号を電界通信装置２に記憶させた本人が暗証番号入力装置１を操作していることが認証されるので、利用者３を特定するための利用者ＩＤを不要にでき、これを格納しておくデータベース４７も不要にすることができる。
【００４０】
図７は、本暗証番号入力システムにおける別の全体的な処理の流れを示すシーケンス図である。
【００４１】
ステップ１で、暗証番号入力装置１は、利用者による暗証番号の入力を入力部４３により入力キーで受け付けて、その暗証番号をメモリ４５に格納する。
【００４２】
ステップ２で、利用者３が入力完了キー１１を押下したときに、電界通信装置２から登録されている暗証番号のハッシュ値を利用者３および入力完了キー１１に向けて送信する。暗証番号入力装置１は、この暗証番号のハッシュ値を通信回路４２により受信して、メモリ４５に格納させる。ここでは、電界通信装置２のメモリ３３に予め暗証番号のハッシュ値を記憶させておくものとする。ハッシュ値は、暗証番号にハッシュ関数を適用することで計算されるものであり、ハッシュ関数が異なれば違うハッシュ値になる。これにより暗証番号が暗号化される。
【００４３】
ステップ３で、暗証番号入力装置１の認証部４４は、送信されてきた暗証番号のハッシュ値と、入力部４３で受け付けた暗証番号にハッシュ関数を適用して得たハッシュ値とを照合し、両者が一致した場合に利用者３を認証する。そして、ドア制御部４６は、利用者３が認証された場合に、ドアに対して開錠制御信号を送出してドアを開錠する。
【００４４】
ここでは、暗証番号入力装置１のメモリ４５に、電界通信装置２に登録されているハッシュを計算する際に使用したハッシュ関数と同一のものを格納しておくものとし、認証部４４は、このハッシュ関数を入力部４３で受け付けた暗証番号に適用するものとする。
【００４５】
したがって、本実施の形態によれば、暗証番号を暗号化した上で送信することで、暗証番号の漏洩を防止することができる。なお、暗証番号の秘匿化を図れるのであれば、ハッシュ値以外の手法で暗証番号を暗号化してもかまわない。
【００４６】
［第２の実施の形態］
本実施形態におけるの暗証番号入力システムの基本的な構成は図１で示したものと同様であり、暗証番号入力装置１、電界通信装置２の基本的な構成も図４、図３にそれぞれ示したものと同様である。
【００４７】
ただし、本実施の形態においては、暗証番号入力装置１は、認証部４４を備えず、またデータベース４７に接続される構成ではなく、内部の通信回路４２が、入力部４３で受け付けた暗証番号を、入力完了キー１１に配置された電極４１により利用者３に対して電界を誘起することで電界通信装置２へ送信する。
【００４８】
また、電界通信装置２は、暗証番号入力装置１から送信されてきた暗証番号を電極３１を通じて通信回路３２により受信してメモリ３３に格納させるとともに、メモリ３３には予め利用者３が登録した暗証番号を格納しておく。そして、電界通信装置２は、受信した暗証番号とメモリ３３に格納されている暗証番号とを照合し、両者が一致した場合に利用者３を認証する認証部を備え、通信回路３２は、この認証結果を利用者３に対して電界を誘起することで、暗証番号入力装置１へ送信する。暗証番号入力装置１、電界通信装置２についてのその他の構成は、第１実施形態で説明した通りであるので、ここでは重複した説明は省略する。
【００４９】
図８は、本実施形態における暗証番号入力システムの全体的な処理の流れを示すシーケンス図である。
【００５０】
ステップ１で、暗証番号入力装置１は、利用者による暗証番号の入力を入力部４３により入力キーで受け付けて、その暗証番号をメモリ４５に格納する。
【００５１】
ステップ２で、利用者３が入力完了キー１１を押下したときに、暗証番号入力装置１は、通信回路４２によりメモリ４５から暗証番号を読み出して、入力完了キー１１に配置された電極４１を通じて利用者３に電界を誘起することで、暗証番号を電界通信装置２へ送信する。
【００５２】
ステップ３で、電界通信装置２は、通信回路３２により電極３１を通じて暗証番号を受信してメモリ３３に格納させる。そして電界通信装置２の認証部は、受信した暗証番号と、メモリ３３に予め格納されていた暗証番号とを照合し、両者が一致した場合に利用者３を認証する。そして、両者が一致した場合には認証成功のステータス情報を通信回路３２により利用者３に対して電界を誘起することで暗証番号入力装置１へ送信し、両者が不一致の場合には認証失敗のステータス情報を暗証番号入力装置１へ送信する。
【００５３】
ステップ４で、暗証番号入力装置１は、通信回路４２によりステータス情報を受信してメモリ４５に格納させ、ドア制御部４６によりステータス情報を検証し、認証成功のステータスの場合にドアの電子ロック機構に対して開錠制御信号を送出してドアを開錠させる。
【００５４】
したがって、本実施の形態によれば、暗証番号入力装置１の入力完了キー１１に電界通信用の電極４１を配置し、電界通信装置２を保持する利用者３が入力完了キー１１を押下したときに、その暗証番号を暗証番号入力装置１から入力完了キー１１に配置した電極４１を通じて電界通信装置２へ送信し、電界通信装置２において暗証番号を照合することで、利用者３にとってはＩＣカードを所定の入力パネルへかざすといった動作が不要になる。
【００５５】
また、本実施の形態によれば、暗証番号入力装置１に入力された暗証番号と電界通信装置２で予め記憶しておいた暗証番号との照合により、暗証番号を電界通信装置２に記憶させた本人が暗証番号入力装置１を操作していることが認証されるので、利用者ＩＤやデータベース４７を不要にすることができる。
【００５６】
［第３の実施の形態］
本実施形態におけるの暗証番号入力システムの基本的な構成は図１で示したものと同様であり、暗証番号入力装置１、電界通信装置２の基本的な内部構成は図４、図３にそれぞれ示したものと同様であるが、暗証番号入力装置１の全体構成は図９の斜視図に示すものとする。
【００５７】
図９の暗証番号入力装置１は、入力キー１２のひとつひとつに電界通信用の電極が配置されている。入力開始キー１３、入力終了キー１４についても電極が配置される。暗証番号入力装置１の入力部４３は、どのキーが押されているかを把握可能であり、通信回路４２は、どのキーが押されて通信が行われているかを識別可能となっている。なお、ここでは、入力キー１２は、複数の入力キー１２ａ乃至１２ｄの総称とする。
【００５８】
本システムでは、使用可能な暗証番号の桁数を予め決めておき、暗証番号入力装置１のメモリ４５と、電界通信装置２のメモリ３３に予め記憶させておく。そして、入力開始キー１３が押下されてから、入力キー１２により暗証番号が入力され、入力終了キー１４が押下されるまで、各キーが押下されたときにそれぞれデータ送受信を行う。送受信するデータの個数は、規定された暗証番号の桁数に依存する。
【００５９】
図１０は、本実施形態における暗証番号入力システムの全体的な処理の流れを示すシーケンス図である。
【００６０】
ステップ１で、利用者３が入力開始キー１３を押下すると、暗証番号入力装置１では、通信回路４２が、この入力開始キー１３に配置されている電極により利用者３に電界を誘起して、認証処理の開始を利用者３が保持する電界通信装置２へ通知する。
【００６１】
ステップ２で、利用者３が暗証番号の１桁目の入力キー１２ａを押下すると、暗証番号入力装置１では、通信回路４２が、この入力キー１２ａに配置されている電極により利用者３に電界を誘起して、メモリ４５に予め格納されているドアＩＤを電界通信装置２へ送信する。また、暗証番号入力装置１は、このときの暗証番号の１桁目をメモリ４５に格納させる。
【００６２】
ステップ３で、利用者３が暗証番号の２桁目の入力キー１２ｂを押下すると、電界通信装置２では、通信回路３２が電極３１により利用者３に電界を誘起して、メモリ３３に予め格納されている利用者ＩＤを利用者３に向けて送信し、利用者３と入力キー１２ｂに配置されている電極とを通じて暗証番号入力装置１へ送信する。暗証番号入力装置１は、通信回路４２により利用者ＩＤを受信してメモリ４５に格納させるとともに、認証部４４によりこの利用者ＩＤに対応する暗証番号をデータベース４７から取得する。また、暗証番号入力装置１は、このときの暗証番号の２桁目をメモリ４５に格納させる。
【００６３】
ステップ４で、利用者３が暗証番号の３桁目の入力キー１２ｃを押下すると、暗証番号入力装置１では、通信回路４２が、この入力キー１２ｃに配置されている電極により利用者３に電界を誘起して、メモリ４５に予め格納されている日付と時刻を電界通信装置２へ送信する。また、暗証番号入力装置１は、このときの暗証番号の３桁目をメモリ４５に格納させる。一方、電界通信装置２は、通信回路３２により日付と時刻を受信し、これら日付と時刻をログとしてメモリ３３に格納させる。
【００６４】
ステップ５で、利用者３が暗証番号の４桁目の入力キー１２ｄを押下すると、電界通信装置２では、通信回路３２が電極３１により利用者３に電界を誘起して、メモリ３３に予め格納されている利用者ＩＤの有効期限を利用者３に向けて送信し、利用者３と入力キー１２ｄに配置されている電極とを通じて暗証番号入力装置１へ送信する。暗証番号入力装置１は、通信回路４２によりこの有効期限を受信してメモリ４５に格納させ、有効期限を検証する。また、暗証番号入力装置１は、このときの暗証番号の４桁目をメモリ４５に格納させる。
【００６５】
ステップ６で、利用者３が入力終了キー１４を押下すると、暗証番号入力装置１では、認証部４４により、メモリ４５に格納された暗証番号を読み出すとともに、この暗証番号とデータベース４７から取得した暗証番号とを照合する。両者が一致した場合には、ドア制御部４６がドアを開錠させる。そして、通信回路４２が、この入力終了キー１４に配置されている電極により利用者３に電界を誘起して、認証部４４による照合結果を電界通信装置２へ送信する。電界通信装置２では、通信回路３２により照合結果を受信してメモリ３３にログとして保存させる。照合結果が失敗を示す場合には失敗回数を記録させる。
【００６６】
したがって、本実施の形態によれば、複数の入力キー１２ａ乃至１２ｄを全て電極に兼用したことで、１回の暗証番号の入力操作で複数のデータを送受信することが可能になる。また、暗証番号の照合結果から失敗回数を記録しておくことで、失敗回数が許容回数を超えた場合には、電界通信装置２の使用を禁止する制御を行うことも可能になる。
【図面の簡単な説明】
【００６７】
【図１】第１実施形態における暗証番号入力システムの概略的な構成を示す模式図である。
【図２】上記暗証番号入力システムにおける暗証番号入力装置の構成を示す斜視図である。
【図３】上記暗証番号入力装置の内部構成を示すブロック図である。
【図４】上記暗証番号入力システムにおける入力者側の電界通信装置の内部構成を示すブロック図である。
【図５】上記暗証番号入力システムにおける全体的な処理の流れを示すシーケンス図である。
【図６】上記暗証番号入力システムにおける別の全体的な処理の流れを示すシーケンス図である。
【図７】上記暗証番号入力システムにおける更に別の全体的な処理の流れを示すシーケンス図である。
【図８】第２実施形態における暗証番号入力システムの全体的な処理の流れを示すシーケンス図である。
【図９】第３実施形態における暗証番号入力装置の構成を示す斜視図である。
【図１０】第３実施形態における暗証番号入力システムの全体的な処理の流れを示すシーケンス図である。
【符号の説明】
【００６８】
１…暗証番号入力装置
２…電界通信装置
３…利用者
１０…入力キー
１１…入力完了キー
１３…入力開始キー
１４…入力終了キー
３１…電極
３２…通信回路
３３…メモリ
４１…電極
４２…通信回路
４３…入力部
４４…認証部
４５…メモリ
４６…ドア制御部
４７…データベース
【図１】
2007226727.tif 000003
【図２】
2007226727.tif 000004
【図３】
2007226727.tif 000005
【図４】
2007226727.tif 000006
【図５】
2007226727.tif 000007
【図６】
2007226727.tif 000008
【図７】
2007226727.tif 000009
【図８】
2007226727.tif 000010
【図９】
2007226727.tif 000011
【図１０】
2007226727.tif 000012